(57)【要約】      （修正有）【課題】一種のリサイクルの壁体構造を提供する。【解決手段】上梁９と、上梁９にボルト接続される上接続ブロック７と、下梁１０と、下梁１０にボルト接続される下接続ブロック８と、末端ブロック２と、複数個の基準ブロック１と、左立柱３と、右立柱４と、左立柱３にボルト接続される左接続ブロック５と、右立柱４にボルト接続される右接続ブロック６とを含み、左接続ブロック５と右接続ブロック６は、一体に形成され且つ上下に互い違いに配列される後接続板と前接続板を有し、末端ブロック２と基準ブロック１は共に一体に形成され且つ上下に互い違いに配列される後板と前板を有し、それぞれ右端面に共に突出ブロックが設けられ、基準ブロック１の右突出ブロックは隣り合う基準ブロック１の左凹溝内に嵌め込み、右接続ブロックの左端に左凹溝が設けられ、最右の基準ブロックの右突出ブロックは右接続ブロックの左凹溝内に嵌め込む。【選択図】図１
2018162658.tif 000002
【特許請求の範囲】
【請求項１】
リサイクルの壁体構成であって、上梁と、ボルトによって前記上梁に固定接続される上接続ブロックと、下梁と、ボルトによって前記下梁に固定接続される下接続ブロックと、末端ブロックと、複数個の基準ブロックと、左立柱と、右立柱と、ボルトによって前記左立柱に固定接続される左接続ブロックと、ボルトによって前記右立柱に固定接続される右接続ブロックとを含み、前記左接続ブロックは、一体に形成され且つ上下に互い違いに配列される後接続板と前接続板を有し、前記前接続板と前記後接続板はそれぞれ左端面が面一となっており、前記前接続板の幅は前記後接続板の幅より大きく、前記後接続板は前記前接続板に対し上方に突出し、前記後接続板は上方に突出する上突出板を形成し、前記前接続板は前記後接続板に対し下方に突出し、前記前接続板は下方に突出する下突出板を形成しており、前記末端ブロックと前記基準ブロックは共に一体に形成され且つ上下に互い違いに配列される後板と前板を有し、前記後板は前記前板に対し上方に突出し、前記後板は上方に突出する上突出板を形成し、前記前板は後板に対し下方に突出し、前記前板は下方に突出する下突出板を形成しており、前記末端ブロックの後板の左端に左突出板が設けられ、前記左接続ブロックの前記後接続板はボルトによって前記左立柱に固定され、前記左接続ブロックの前記前接続板がボルトによって前記末端ブロックの前記後板の前記左突出板と相互に固定されており、前記右接続ブロックは一体に形成され且つ上下に互い違いに配列される後接続板と前接続板を有し、前記前接続板の左右端面と前記後接続板の左右端面は各端においてそれぞれ面一となっており、前記後接続板は前記前接続板に対し上方に突出し、前記後接続板は上方に突出する上突出板を形成し、前記前接続板は前記後接続板に対し下方に突出し、前記前接続板は下方に突出する下突出板を形成しており、前記右接続ブロックはボルトによって前記右立柱に固定されており、前記上接続ブロックと前記下接続ブロックは共にL字状であり、前記上接続ブロックの鉛直板がボルトによって前記上突出板と相互に固定され、前記下接続ブロックの鉛直板がボルトによって前記下突出板と相互に固定され、前記上接続ブロックの水平板がボルトによって前記上梁と相互に固定され、前記下接続ブロックの水平板がボルトによって前記下梁と相互に固定されており、前記末端ブロック及び前記基準ブロックはそれぞれ右端面に共に突出ブロックが設けられ、前記基準ブロックの左端面に左凹溝が設けられ、前記基準ブロックの右突出ブロックは隣り合う前記基準ブロックの左凹溝内に嵌め込み、前記右接続ブロックの左端に左凹溝が設けられ、最右の前記基準ブロックの右突出ブロックは前記右接続ブロックの左凹溝内に嵌め込んでおり、前記末端ブロックの右突出ブロックは最左の前記基準ブロックの左凹溝内に嵌め込んでおり、前記右接続ブロック内にアンカー穴とボルト穴が設けられ、前記右接続ブロックの左凹溝、アンカー穴とボルト穴は相互に連通し、且つ左から右へ順次に分布しており、前記基準ブロック内に、連通し且つ左から右へ順次に分布しているアンカー穴、左かしめ穴、穴路、右かしめ穴と予設穴が順次に設けられており、前記右接続ブロックのボルト穴��前記ボルトが挿入することによって前記右接続ブロックが前記右立柱と相互に固定され、前記右接続ブロックのアンカー穴内にアンカーブロックが設けられ、前記アンカーブロックは予埋ボルトによって前記右接続ブロック内に固定され、前記アンカーブロック内にリベットが設けられ、前記基準ブロックの左かしめ穴と右かしめ穴の内に共にリベットが設けられ、前記基準ブロックの穴路内にプレストレス鋼筋が設けられ、前記プレストレス鋼筋は、前記右接続ブロック内におけるアンカーブロック上のリベット、前記基準ブロック内における予設穴、前記基準ブロックの右かしめ穴内におけるリベット、前記基準ブロック内における穴路と前記基準ブロックの左かしめ穴内におけるリベットに順次に貫通しており、前記基準ブロックのアンカー穴内にアンカーブロックが設けられ、前記アンカーブロックは予埋ボルトによって前記基準ブロック内に固定され、前記プレストレス鋼筋は、前記基準ブロック内におけるアンカーブロックのリベット、左方に隣り合う前記基準ブロック内における予設穴、左方に隣り合う前記基準ブロックの右かしめ穴内におけるリベット、左方に隣り合う前記基準ブロック内における穴路、左方に隣り合う前記基準ブロックの左かしめ穴内におけるリベットに順次に挿入しており、前記上接続ブロックの鉛直板にボルトを挿入させる予設穴とボルト穴が順次に設けられ、前記基準ブロックと前記末端ブロックはそれぞれ突出板に共にボルトを挿入させるボルト穴と予設穴が順次に設けられており、前記基準ブロックと前記末端ブロックはそれぞれ下突出板に共にボルトを挿入させる予設穴とボルト穴が順次に設けられ、前記下接続ブロックの鉛直板にボルトを挿入させるボルト穴と予設穴が順次に設けられており、前記上接続ブロックの水平板にボルトを挿入させる予設穴とボルト穴が順次に設けられ、前記下接続ブロックの水平板にボルトを挿入させる予設穴とボルト穴が順次に設けられており、前記アンカーブロックは腰状ブロックとリベットを設置するリベットブロックを含み、前記腰状ブロックに中心穴とボルトを挿入させるボルト穴が設けられており、前記基準ブロックの右突出ブロックと前記末端ブロックの右突出ブロックに共にゴムパッドが設けられていることを特徴とするリサイクルの壁体構成。
【請求項２】
請求項1に記載の壁体構成を取り付ける方法であって、ボルトを前記右接続ブロックのボルト穴に挿入させることによって、前記右接続ブロックを前記右立柱に固定し、そして前記予埋ボルトによって前記アンカーブロックを前記右接続ブロックのアンカー穴内に固定し、そして前記プレストレス鋼筋を前記右接続ブロック内におけるアンカーブロックのリベット、前記基準ブロック内における予設穴、前記基準ブロックの右かしめ穴内におけるリベット、前記基準ブロック内の穴路、前記基準ブロックの左かしめ穴内におけるリベットに順次に貫通させることによって、前記基準ブロックを前記右接続ブロックの左凹溝内に的確に嵌め込み、そして前記プレストレス鋼筋を前記基準ブロック内におけるアンカーブロックのリベット、左方に隣り合う前記基準ブロック内における予設穴、左方に隣り合う前記基準ブロックの右かしめ穴内におけるリベット、左方に隣り合う前記基準ブロック内における穴路、左方に隣り合う前記基準ブロックの左かしめ穴内におけるリベットに順次に貫通させることによって、隣り合う前記基準ブロックを一体に固定し、前記末端ブロックの右突出ブロックを最左の前記基準ブロックの左凹溝内に嵌め込み、そしてボルトによって前記左接続ブロックの後接続板を前記左立柱に固定し、前記左接続ブロックの前接続板を前記末端ブロックの後板の左突出板に固定し、そしてボルトによって前記上接続ブロックの鉛直板を前記上突出板に固定し、前記下接続ブロックの鉛直板を前記下突出板に固定し、前記上接続ブロックの水平板を前記上梁に固定し、前記下接続ブロックの水平板を前記下梁に固定することを特徴とする請求項1に記載の壁体構成を取り付ける方法。
【請求項３】
請求項1に記載のリサイクルの壁体構成において、上梁と、ボルトによって前記上梁に固定接続される上接続ブロックと、下梁と、ボルトによって前記下梁に固定接続される下接続ブロックと、末端ブロックと、複数個の基準ブロックと、左立柱と、右立柱と、ボルトによって前記左立柱に固定接続される左接続ブロックとを含み、前記左接続ブロックは、一体に形成され且つ上下に互い違いに配列される後接続板と前接続板を有し、前記前接続板と前記後接続板はそれぞれ左端面が面一となっており、前記前接続板の幅は前記後接続板の幅より小さく、前記後接続板は前記前接続板に対し上方に突出し、前記後接続板は上方に突出する上突出板を形成し、前記前接続板は後接続板に対し下方に突出し、前記前接続板は下方に突出する下突出板を形成しており、前記末端ブロックと前記基準ブロックは共に一体に形成され且つ上下に互い違いに配列される後板と前板を有し、前記後板は前記前板に対し上方に突出し、前記後板は上方に突出する上突出板を形成し、前記前板は前記後板に対し下方に突出し、前記前板は下方に突出する下突出板を形成しており、前記基準ブロックの後板の両端面と前記基準ブロックの前板の両端面とが各端においてそれぞれ面一となっており、前記末端ブロックの前板の左端に左突出板が設けられ、前記左接続ブロックの前接続板はボルトによって前記左立柱に固定され、前記左接続ブロックの後接続板がボルトによって前記末端ブロックの前板の左突出板と相互に固定されており、前記上接続ブロックと前記下接続ブロックは共にL字状であり、前記上接続ブロックの鉛直板がボルトによって前記上突出板と相互に固定され、前記下接続ブロックの鉛直板がボルトによって前記下突出板と相互に固定され、前記上接続ブロックの水平板がボルトによって前記上梁と相互に固定され、前記下接続ブロックの水平板がボルトによって前記下梁と相互に固定されており、前記末端ブロック及び前記基準ブロックはそれぞれ端面に共に予設穴とボルト穴が順次に設けられ、最右の前記基準ブロックはボルトによって前記右立柱に固定され、前記末端ブロックはボルトによって最左の前記基準ブロックと相互に固定されていることを特徴とする請求項1に記載のリサイクルの壁体構成。
【発明の詳細な説明】
【技術分野】
【０００１】
本発明は家屋建築の技術分野に関し、特に一種のリサイクルの壁体構造とその組立方法に関する。
【背景技術】
【０００２】
国内の既存の家屋建設技術において、軽量型家屋構造の壁体は主に各種の組積材料とコンクリートによって形成されている。現代の組積の製造過程と工芸は複雑で、工事過程に大量の人力が必要であり、そして後期の保護は温度の違いにつれて変化し、工事の工期が長くなる。だから、このため建造製造過程が複雑で、欠陥が存在する。そのほかに、普通の壁体が一回しか使えなく、ブロックを100 %回収できなく、解体する過程にも大量のほこりと建築ごみが発生し、資源の再利用と持続可能な発展に不利で、社会主義近代化建設が提出したエコ工事の要求に適合しない。
【０００３】
今はプレハブコンクリート技術が大きく発展していて、既存の組立式鉄筋コンクリートプレハブ壁体は工場で事前に加工・成形された後、工事現場に運送され組立を行って、建設工期を大きく短縮し、建設費用を減らす。プレハブ壁体の部材の精度が高く、壁の割れ、漏洩などの品質の問題を最大限に改善することができる。プレハブ壁体は繰り返し使用することができ、現代社会が提唱したエコ環境保護と文明工事の要求に適合する。プレハブ壁体はその自身の特性によって、プレハブ壁体の重要な全体性を保証することができる。現在の普通の組積壁の工事周期が長く、回収率が低く、軽量型家屋構造の壁体の高速工事に適応しにくい。
【先行技術文献】
【特許文献】
【０００４】
【特許文献１】中国特許出願公開第106368350号明細書
【特許文献２】中国特許出願公開第105297814号明細書
【発明の概要】
【発明が解決しようとする課題】
【０００５】
既存の技術に存在する技術問題に対して、本発明の目的はサイクルの壁体構成を提供し、工事の周期を大きく短縮できて、高い回収率を有する。
【０００６】
本発明のもう一つの目的は、サイクルの壁体構成の組立方法を提供する。
【０００７】
上記の目的を達成するために、本発明は次のような技術方案を採用している。
【０００８】
リサイクルの壁体構成であって、上梁と、ボルトによって上梁に固定接続される上接続ブロックと、下梁と、ボルトによって下梁に固定接続される下接続ブロックと、末端ブロックと、複数個の基準ブロックと、左立柱と、右立柱と、ボルトによって左立柱に固定接続される左接続ブロックと、ボルトによって右立柱に固定接続される右接続ブロックとを含み、左接続ブロックは、一体に形成され且つ上下に互い違いに配列される後接続板と前接続板を有し、前接続板と後接続板はそれぞれ左端面が面一となっており、前接続板の幅は後接続板の幅より大きく、後接続板は前接続板に対し上方に突出し、後接続板は上方に突出する上突出板を形成し、前接続板は後接続板に対し下方に突出し、前接続板は下方に突出する下突出板を形成しており、末端ブロックと基準ブロックは共に一体に形成され且つ上下に互い違いに配列される後板と前板を有し、後板は前記前板に対し上方に突出し、後板は上方に突出する上突出板を形成し、前板は後板に対し下方に突出し、前板は下方に突出する下突出板を形成しており、末端ブロックの後板の左端に左突出板が設けられ、左接続ブロックの後接続板はボルトによって左立柱に固定され、左接続ブロックの前接続板がボルトによって末端ブロックの後板の左突出板と相互に固定されており、右接続ブロックは一体に形成され且つ上下に互い違いに配列される後接続板と前接続板を有し、前接続板の左右端面と後接続板の左右端面は各端においてそれぞれ面一となっており、後接続板は前記前接続板に対し上方に突出し、前記後接続板は上方に突出する上突出板を形成し、前記前接続板は前記後接続板に対し下方に突出し、前記前接続板は下方に突出する下突出板を形成しており、前記右接続ブロックはボルトによって前記右立柱に固定されており、上接続ブロックと前記下接続ブロックは共にL字状であり、上接続ブロックの鉛直板がボルトによって上突出板と相互に固定され、下接続ブロックの鉛直板がボルトによって下突出板と相互に固定され、上接続ブロックの水平板がボルトによって上梁と相互に固定され、下接続ブロックの水平板がボルトによって前記下梁と相互に固定されており、末端ブロック及び基準ブロックはそれぞれ右端面に共に突出ブロックが設けられ、基準ブロックの左端面に左凹溝が設けられ、基準ブロックの右突出ブロックは隣り合う基準ブロックの左凹溝内に嵌め込み、右接続ブロックの左端に左凹溝が設けられ、最右の前記基準ブロックの右突出ブロックは前記右接続ブロックの左凹溝内に嵌め込んでおり、末端ブロックの右突出ブロックは最左の前記基準ブロックの左凹溝内に嵌め込んでおり、更には、右接続ブロック内にアンカー穴とボルト穴が設けられ、右接続ブロックの左凹溝、アンカー穴とボルト穴は相互に連通し、且つ左から右へ順次に分布しており、前記基準ブロック内に、連通し且つ左から右へ順次に分布しているアンカー穴、左かしめ穴、穴路、右かしめ穴と予設穴が順次に設けられており、右接続ブロックのボルト穴にボルトが挿入されることによって右接続ブロックが右立柱と相互に固定され、右接続ブロックのアンカー穴内にアンカーブロックが設けられ、アンカーブロックは予埋ボルトによって右接続ブロック内に固定され、アンカ��ブロック内にリベットが設けられ、基準ブロックの左かしめ穴と右かしめ穴の内に共にリベットが設けられ、基準ブロックの穴路内にプレストレス鋼筋が設けられ、プレストレス鋼筋は、右接続ブロック内におけるアンカーブロック上のリベット、基準ブロック内における予設穴、基準ブロックの右かしめ穴内におけるリベット、基準ブロック内における穴路と基準ブロックの左かしめ穴内におけるリベットに順次に貫通しており、基準ブロックのアンカー穴内にアンカーブロックが設けられ、アンカーブロックは予埋ボルトによって基準ブロック内に固定され、プレストレス鋼筋は、基準ブロック内におけるアンカーブロックのリベット、左方に隣り合う前記基準ブロック内における予設穴、左方に隣り合う基準ブロックの右かしめ穴内におけるリベット、左方に隣り合う基準ブロック内における穴路、左方に隣り合う前記基準ブロックの左かしめ穴内におけるリベットに順次に挿入しており、更には、上接続ブロックの鉛直板にボルトを挿入させる予設穴とボルト穴が順次に設けられ、基準ブロックと末端ブロックはそれぞれ突出板に共にボルトを挿入させるボルト穴と予設穴が順次に設けられており、更には、基準ブロックと末端ブロックはそれぞれ下突出板に共にボルトを挿入させる予設穴とボルト穴が順次に設けられ、下接続ブロックの鉛直板にボルトを挿入させるボルト穴と予設穴が順次に設けられており、更には、上接続ブロックの水平板にボルトを挿入させる予設穴とボルト穴が順次に設けられ、下接続ブロックの水平板にボルトを挿入させる予設穴とボルト穴が順次に設けられており、更には、アンカーブロックは腰状ブロックとリベットを設置するリベットブロックを含み、腰状ブロックに中心穴とボルトを挿入させるボルト穴が設けられており、更には、基準ブロックの右突出ブロックと末端ブロックの右突出ブロックに共にゴムパッドが設けられている。
【０００９】
壁体構成を取り付ける方法であって、ボルトを右接続ブロックのボルト穴に挿入させることによって、右接続ブロックを前記右立柱に固定し、そして予埋ボルトによってアンカーブロックを右接続ブロックのアンカー穴内に固定し、そしてプレストレス鋼筋を前記右接続ブロック内におけるアンカーブロックのリベット、基準ブロック内における予設穴、基準ブロックの右かしめ穴内におけるリベット、基準ブロック内の穴路、基準ブロックの左かしめ穴内におけるリベットに順次に貫通させることによって、基準ブロックを前記右接続ブロックの左凹溝内に的確に嵌め込み、そしてプレストレス鋼筋を基準ブロック内におけるアンカーブロックのリベット、左方に隣り合う基準ブロック内における予設穴、左方に隣り合う基準ブロックの右かしめ穴内におけるリベット、左方に隣り合う基準ブロック内における穴路、左方に隣り合う基準ブロックの左かしめ穴内におけるリベットに順次に貫通させることによって、隣り合う基準ブロックを一体に固定し、末端ブロックの右突出ブロックを最左の基準ブロックの左凹溝内に嵌め込み、そしてボルトによって左接続ブロックの後接続板を左立柱に固定し、左接続ブロックの前接続板を前記末端ブロックの後板の左突出板に固定し、そしてボルトによって上接続ブロックの鉛直板を上突出板に固定し、下接続ブロックの鉛直板を下突出板に固定し、上接続ブロックの水平板を上梁に固定し、下接続ブロックの水平板を下梁に固定する。
【００１０】
リサイクルの壁体構成において、上梁と、ボルトによって上梁に固定接続される上接続ブロックと、下梁と、ボルトによって下梁に固定接続される下接続ブロックと、末端ブロックと、複数個の基準ブロックと、左立柱と、右立柱と、ボルトによって左立柱に固定接続される左接続ブロックとを含み、左接続ブロックは、一体に形成され且つ上下に互い違いに配列される後接続板と前接続板を有し、前接続板と後接続板はそれぞれ左端面が面一となっており、前接続板の幅は後接続板の幅より小さくて、後接続板は前記前接続板に対し上方に突出し、後接続板は上方に突出する上突出板を形成し、前接続板は後接続板に対し下方に突出し、前接続板は下方に突出する下突出板を形成しており、末端ブロックと基準ブロックは共に一体に形成され且つ上下に互い違いに配列される後板と前板を有し、後板は前記前板に対し上方に突出し、後板は上方に突出する上突出板を形成し、前板は前記後板に対し下方に突出し、前板は下方に突出する下突出板を形成しており、基準ブロックの後板の両端面と前記基準ブロックの前板の両端面とが各端においてそれぞれ面一となっており、末端ブロックの前板の左端に左突出板が設けられ、左接続ブロックの前接続板はボルトによって左立柱に固定され、左接続ブロックの後接続板がボルトによって末端ブロックの前板の左突出板と相互に固定されており、上接続ブロックと下接続ブロックは共にL字状であり、上接続ブロックの鉛直板がボルトによって上突出板と相互に固定され、下接続ブロックの鉛直板がボルトによって下突出板と相互に固定され、上接続ブロックの水平板がボルトによって上梁と相互に固定され、下接続ブロックの水平板がボルトによって下梁と相互に固定されており、末端ブロック及び基準ブロックはそれぞれ端面に共に予設穴とボルト穴が順次に設けられ、最右の基準ブロックはボルトによって右立柱に固定され、末端ブロックはボルトによって最左の前記基準ブロックと相互に固定されている。
【発明の効果】
【００１１】
まとめて言えば、本発明は以下の長所がある。
【００１２】
１．本発明のプレハブ壁体は工場で事前に加工し成形され、現場工事の時間を減らして、基礎建設が周囲の環境に与える影響を下げる。２．プレハブ壁体とプレハブ壁体の間にプレストレス鉄筋、アンカーブロック、リベットなどを使って接続し、床スラブの全体性が大きく向上させる。３．工場プレハブを使って、全体のコストを下げる。４．ラバーパッドを使ってプレハブ壁体の間の隙間が大きいという問題を緩和し、一定程度改善した床スラブの漏出防止性能を改善する。
【図面の簡単な説明】
【００１３】
【図１】図１は実施例１の立体図の分解図である。
【図２】図2は実施例１の平面図の分解図である。
【図３】図3は実施例１が組み立てられた後の案内図である。
【図４】図4は実施例１左ブロック第一方向の構造案内図である。
【図５】図5は実施例１左ブロック第二方向の構造案内図である。
【図６】図6は実施例１ブロック第一方向の構造案内図である。
【図７】図7は実施例１ブロック第二方向の構造案内図である。
【図８】図8は実施例１ブロック第三方向の構造案内図である。
【図９】図9は実施例１標準ブロック第一方向の構造案内図である。
【図１０】図10は実施例１標準ブロック第二方向の構造案内図である。
【図１１】図11は実施例１標準ブロック第三方向の構造案内図である。
【図１２】図12は実施例１標準ブロック第四方向の構造案内図である。
【図１３】図13は実施例１下ブロック第一方向の構造案内図である。
【図１４】図14は実施例１下ブロック第二方向の構造案内図である。
【図１５】図15は実施例１右ブロック第一方向の構造案内図である。
【図１６】図16は実施例１右ブロック第二方向の構造案内図である。
【図１７】図17は実施例１アンカーブロック、プレストレス鉄筋、リベットの構造案内図である。
【図１８】図18は実施例２立体図の分解図である。
【図１９】図19は実施例２平面図の分解図である。
【図２０】図20は実施例２標準ブロック第一方向の構造案内図である。
【図２１】図21は実施例２標準ブロック第二方向の構造案内図である。
【図２２】図22は実施例２ブロック第一方向の構造案内図である。
【図２３】図23は実施例２ブロック第二方向の構造案内図である。
【図２４】図24は実施例２左接続ブロックの構造案内図である。
【図２５】図25は実施例２ボルトの構造案内図である。
【図２６】図26は実施例２上の梁の構造案内図である。
【発明を実施するための形態】
【００１４】
図面の中の符号が示すものは下記の通りである。
実施例１において、１は標準ブロック、２はブロック、３は左立柱、４は右立柱、５は左接続ブロック、６は右接続ブロック、７は上接続ブロック、８は下接続ブロック、９は上梁、１０は下梁、１１はアンカーブロック、１２はプレストレス鉄筋、１３はリベット、１−１は標準ブロックの前板、１−２は標準ブロックの後板、１−３は標準ブロックの下突出板、１−４は標準ブロックの上突出板、１−５は標準ブロックの左溝、１−６は標準ブロックの右突出ブロック、１−７は標準ブロックの保留穴、１−８は標準ブロックのボルト穴、１−９は標準ブロックの中の保留穴、１−１０は標準ブロックの右リベット穴、１−１１は標準ブロックの中の孔路、１−１２は標準ブロックの左リベット穴、１−１３は標準ブロックのアンカー穴、２−１はブロックの前板、２−２はブロックの後板、２−３はブロックの下突出板、２−４はブロックの上突出板、２−５はブロックの左突出板、２−６はブロックの右突出ブロック、５−１は左接続ブロックの前接続板、５−２は左接続ブロックの後接続板、５−３は左接続ブロックの下突出板、５−４は左接続ブロックの上突出板、６−１は右接続ブロックの前接続板、６−２は右接続板の上突出板、６−３は右接続ブロックの下突出板の分離ブロック、６−４は右接続ブロックの左溝、６−５は右接続ブロックのアンカー穴、６−６は右接続ブロックのボルト穴、８−１は下接続ブロックの水平板、８−２は下接続ブロックの垂直板、１１−１はアンカーブロックのスロットブロック、１１−２はアンカーブロックのリベットブロック、１１−３はスロットブロックの中心穴、１１−４はスロットブロックのボルト穴である。
実施例２において、１４は上梁、１５は下梁、１６は左立柱、１７は右立柱、１８は左接続ブロック、１９はブロック、２０は標準ブロック、２１は上接続ブロック、２２は下接続ブロック、１８−１は左接続ブロックの上突出板、１８−２は左接続ブロックの後接続ブロック、１８−３は左接続ブロックの前接続板、１８−４は左接続ブロックの下突出板、１９−１はブロックの前板、１９−２はブロックの後板、１９−３はブロックの下突出板、１９−４はブロックの上突出板、１９−５はブロックの左突出板、２０−１は標準ブロックの前板、２０−２は標準ブロックの後板、２０−３は標準ブロックの下突出板、２０−４は標準ブロックの上突出板、２０−５は標準ブロックのボルト溝、２０−６は標準ブロックの保留溝である。
【００１５】
本発明を更に詳しく説明するため、以下では図面および実施形態と結合して、本発明について詳しく説明するものの。
【００１６】
便利に叙述するため、下記の文で述べた上下左右前後の方向は以下の通りに規定する。下記の文で述べた上下左右前後の方向は図2の自身の投影関係の方位と一致する。
【００１７】
実施例1
【００１８】
図1~図17に関連して説明する。サイクルの壁体構成であって、上梁と、ボルトによって上梁に固定接続される上接続ブロックと、下梁と、ボルトによって下梁に固定接続される下接続ブロックと、末端ブロックと、複数個の基準ブロックと、左立柱と、右立柱と、ボルトによって前記左立柱に固定接続される左接続ブロックと、ボルトによって右立柱に固定接続される右接続ブロックとを含む。
【００１９】
左接続ブロックにとって、左接続ブロックは一体に形成され上下がずらす後接続板と前接続板を含み、後接続板は前接続板と一つの全体で、便利に説明するため、左接続ブロックを後接続板と前接続板に分ける。前接続板は後接続板の左端面と平行し、前接続板の広さは後接続板より広く、左右方向は広さの方向で、後接続板は前接続板と比べ上に突出し、後接続板は前接続板と比べて、後接続板が上に突出する上突出板が形成され、前接続板は後接続板と比べ下に突出し、前接続板は後接続板と比べて、前接続板が下に突出する下突出板が形成される。
【００２０】
ブロックと標準ブロックにとって、ブロックと標準ブロックを後板と前板の二つの部分に分けて説明する。ブロックと標準ブロックは一体に形成され上下がずらす後板と前板を含み、上下がずらす後板と前板は相対的に上下に一段の距離を移動し、後板と前板は一つの全体で、後板は前板と比べて上に突出し、後板は前板と比べて、後板が上に突出する上突出板が形成され、前板は後板と比べて下に突出し、前板は後板と比べて、前板が下に突出する下突出板が形成される。
【００２１】
末端ブロックの後板の左端に左突出板が設けられ、左接続ブロックの後接続板はボルトによって左立柱に固定され、左接続ブロックの前接続板がボルトによって末端ブロックの後板の前記左突出板と相互に固定されている。
【００２２】
右接続ブロックにとって、右接続ブロックも一体に形成され上下がずらす後接続板と前接続板を含む。前接続板の左右端面と後接続板の左右端面は各端においてそれぞれ面一となっており、後接続板は前接続板に対し上方に突出し、後接続板は上方に突出する上突出板を形成し、前接続板は前記後接続板に対し下方に突出し、前接続板は下方に突出する下突出板を形成しており、右接続ブロックはボルトによって前記右立柱に固定されており、下突出板に一つの分離ブロックが設置され、つまり分離ブロックは下突出板から取り外すことができる。
【００２３】
上接続ブロックと下接続ブロックは共にL字状であり、上接続ブロックの水平板は上接続ブロックの垂直板の後部の上端に位置する。左接続ブロック、ブロック、標準ブロック、右接続ブロックをつなぎ合わせる時、全部の上突出板がシームレスに接続され、一つの長板を形成する。全部の下突出板もシームレスに接続され、一つの長板を形成する。上接続ブロックの垂直板はボルトを通じて全部の上突出板と固定され、下接続ブロックの垂直板はボルトを通じて全部の下突出板と固定される。上接続ブロックの水平板はボルトを通じて上梁と固定され、下接続ブロックの水平板はボルトを通じて下梁と固定される。下接続ブロックの水平板は下接続ブロックの垂直板の前部の下端に位置する。
【００２４】
末端ブロック及び基準ブロックはそれぞれ右端面に共に突出ブロックが設けられ、右突出ブロックはブロックまた標準ブロックの右端面を沿って突出し、つまり右突出ブロックが前板と後板を沿って右へ突出し、右突出ブロックの厚さは標準ブロックの厚さより少し薄い。基準ブロックの左端面に左凹溝が設けられ、基準ブロックの右突出ブロックは隣り合う基準ブロックの左凹溝内に嵌め込み、右接続ブロックの左端に左凹溝が設けられ、最右の前記基準ブロックの右突出ブロックは右接続ブロックの左凹溝内に嵌め込んでおり、末端ブロックの右突出ブロックは最左の前記基準ブロックの左凹溝内に嵌め込んでいる。
【００２５】
右接続ブロック内にアンカー穴とボルト穴が設けられ、右接続ブロックの左凹溝、アンカー穴とボルト穴は相互に連通し、且つ左から右へ順次に分布しており、基準ブロック内に、連通し且つ左から右へ順次に分布しているアンカー穴、左かしめ穴、穴路、右かしめ穴と予設穴が順次に設けられており、右接続ブロックのボルト穴にボルトが挿入することによって右接続ブロックが右立柱と相互に固定され、右接続ブロックのアンカー穴内にアンカーブロックが設けられ、アンカーブロックは予埋ボルトによって右接続ブロック内に固定され、前記アンカーブロック内にリベットが設けられ、標準ブロックの左リベット穴と右リベット穴の中にリベットが設置され、標準ブロックの孔路の中にプレストレス鉄筋が設置され、右接続ブロックと一番右の標準ブロックを接続する時、プレストレス鉄筋が順番に右接続ブロックのアンカーブロックのリベット、標準ブロックの中の保留穴、標準ブロック右リベット穴の中のリベット、標準ブロックの中の孔路、標準ブロック左リベット穴の中のリベットを通り抜ける。
【００２６】
標準ブロックのアンカー穴の中にアンカーブロックが設置され、アンカーブロックが埋め込むボルトを通じて標準ブロックの中で固定され、隣接する二つの標準ブロックを接続する時、プレストレス鉄筋が順番に標準ブロックの中のアンカーブロックのリベット、左隣接する標準ブロックの中の保留穴、左隣接する標準ブロックリベット穴のリベット、左隣接する標準ブロックの中の孔路、左隣接する標準ブロック左リベット穴のリベットを通り抜ける。
【００２７】
上接続ブロックの鉛直板にボルトを挿入させる予設穴とボルト穴が順次に設けられ、標準ブロックの上突出板とブロックの上突出板は順番にボルトが通り抜ける用のボルト穴と保留穴が設置される。ボルトで上接続ブロックの垂直板と上突出板を一緒に固定できて、同時に保留穴はボルトを取り付ける時に十分な空間があることを保証し、ボルトが保留穴の中にあることは美観に影響を及ぼさない。
【００２８】
基準ブロックと末端ブロックはそれぞれ下突出板に共にボルトを挿入させる予設穴とボルト穴が順次に設けられ、下接続ブロックの鉛直板にボルトを挿入させるボルト穴と予設穴が順次に設けられている。
【００２９】
上接続ブロックの水平板にボルトを挿入させる予設穴とボルト穴が順次に設けられ、下接続ブロックの水平板にボルトを挿入させる予設穴とボルト穴が順次に設けられている。
【００３０】
アンカーブロックは腰状ブロックとリベットを設置するリベットブロックを含み、腰状ブロックに中心穴とボルトを挿入させるボルト穴が設けられており、ボルトを使ってボルト穴を通り抜け、これによりアンカーブロックを右接続ブロックまた標準ブロックの中に固定し、スロットブロックの中心穴はプレストレス鉄筋に留保する空間である。
【００３１】
基準ブロックの右突出ブロックと末端ブロックの右突出ブロックに共にゴムパッドが設けられている。標準ブロックと右接続ブロックの間、標準ブロックと標準ブロックの間、ブロックと標準ブロックの間の緊密な接続を保証し、隙間を減らす。
【００３２】
上記の壁体構造の組立方法は以下となる。壁体構成を取り付ける方法であって、ボルトを右接続ブロックのボルト穴に挿入させることによって、右接続ブロックを右立柱に固定する。
【００３３】
次に、埋め込むボルトを使ってアンカーブロックを右接続ブロックのアンカー穴の中で固定し、プレストレス鉄筋を順番に右接続ブロックの中のアンカーブロックのリベット、一番右の標準ブロックの保留穴、、一番右の標準ブロックの右リベット穴の中のリベット、一番右の標準ブロックの中の孔路、一番右の標準ブロックの左リベット穴の中のリベット、これにより一番右の標準ブロックをしっかり右接続ブロックの左溝に嵌めこむ。
【００３４】
次にプレストレス鉄筋を使って順番に標準ブロックのアンカーブロックのリベット、左隣接する標準ブロックの中の保留穴、左隣接する標準ブロック右リベット穴のリベット、左隣接する標準ブロックの中の孔路を通り抜け、これにより隣接する二つの標準ブロックを一緒に固定する。
【００３５】
末端ブロックの右突出ブロックを最左の基準ブロックの左凹溝内に嵌め込み、そしてボルトによって左接続ブロックの後接続板を左立柱に固定し、左接続ブロックの前接続板を前記末端ブロックの後板の左突出板に固定する。
【００３６】
そしてボルトによって上接続ブロックの鉛直板を上突出板に固定し、下接続ブロックの鉛直板を下突出板に固定し、上接続ブロックの水平板を上梁に固定し、下接続ブロックの水平板を下梁に固定する。
【００３７】
実施例2
【００３８】
図18〜図26に関連して説明する。リサイクルの壁体構成において、上梁と、ボルトによって上梁に固定接続される上接続ブロックと、下梁と、ボルトによって下梁に固定接続される下接続ブロックと、末端ブロックと、複数個の基準ブロックと、左立柱と、右立柱と、ボルトによって左立柱に固定接続される左接続ブロックとを含み、本実施例の上接続ブロックと下接続ブロックは実施例１の上接続ブロックと下接続ブロックの構造と同じである。
【００３９】
左接続ブロックは、一体に形成され且つ上下に互い違いに配列される後接続板と前接続板を有し、前接続板と後接続板はそれぞれ左端面が面一となっており、前接続板の幅は後接続板の幅より小さくて、後接続板は前接続板に対し上方に突出し、後接続板は上方に突出する上突出板を形成し、前接続板は後接続板に対し下方に突出し、前接続板は下方に突出する下突出板を形成している。
【００４０】
末端ブロックと基準ブロックは共に一体に形成され且つ上下に互い違いに配列される後板と前板を有し、後板は前記前板に対し上方に突出し、後板は上方に突出する上突出板を形成し、前板は前記後板に対し下方に突出し、前板は下方に突出する下突出板を形成しており、基準ブロックの後板の両端面と基準ブロックの前板の両端面とが各端においてそれぞれ面一となっている。
【００４１】
末端ブロックの前板の左端に左突出板が設けられ、左接続ブロックの前接続板はボルトによって左立柱に固定され、左接続ブロックの後接続板がボルトによって末端ブロックの前板の左突出板と相互に固定されている。
【００４２】
上接続ブロックと下接続ブロックは共にL字状であり、上接続ブロックの鉛直板がボルトによって上突出板と相互に固定され、下接続ブロックの鉛直板がボルトによって下突出板と相互に固定され、上接続ブロックの水平板がボルトによって上梁と相互に固定され、下接続ブロックの水平板がボルトによって下梁と相互に固定されており、本実施例の上接続ブロック、下接続ブロック、上突出板、下突出板は実施例１の上接続ブロック、下接続ブロック、上突出板、下突出板と同じであり、相応のボルト穴と保留穴が設置される。
【００４３】
末端ブロック及び基準ブロックはそれぞれ端面に共に予設穴とボルト穴が順次に設けられ、最右の前記基準ブロックはボルトによって右立柱に固定され、末端ブロックはボルトによって最左の基準ブロックと相互に固定されている。隣接する二つの標準ブロックはボルトを通じて一緒に固定される。
【００４４】
本発明の左接続ブロック、右接続ブロック、ブロック、標準ブロックは一般的に工場で事前に加工し成形され、次は工事現場に運送し組み立てる。ブロックと標準ブロックはプレハブ壁体でブロックと標準ブロックは全体の壁面を形成する。
【００４５】
前記実施形態は、本発明のかなり優れた実施方式であるが、これら実施形態を使用した目的は、本発明を説明するためであり、本発明を限定するのではない。本発明の原則と原理を違反しないことを前提に行った変更、修正、代替、簡略化は、全部同等の置換方式として取り扱うものとし、全部本発明の保護範囲に含まれる。
【図１】
2018162658.tif 000003
【図２】
2018162658.tif 000004
【図３】
2018162658.tif 000005
【図４】
2018162658.tif 000006
【図５】
2018162658.tif 000007
【図６】
2018162658.tif 000008
【図７】
2018162658.tif 000009
【図８】
2018162658.tif 000010
【図９】
2018162658.tif 000011
【図１０】
2018162658.tif 000012
【図１１】
2018162658.tif 000013
【図１２】
2018162658.tif 000014
【図１３】
2018162658.tif 000015
【図１４】
2018162658.tif 000016
【図１５】
2018162658.tif 000017
【図１６】
2018162658.tif 000018
【図１７】
2018162658.tif 000019
【図１８】
2018162658.tif 000020
【図１９】
2018162658.tif 000021
【図２０】
2018162658.tif 000022
【図２１】
2018162658.tif 000023
【図２２】
2018162658.tif 000024
【図２３】
2018162658.tif 000025
【図２４】
2018162658.tif 000026
【図２５】
2018162658.tif 000027
【図２６】
2018162658.tif 000028
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
リサイクルの壁体構成であって、上梁と、ボルトによって前記上梁に固定接続される上接続ブロックと、下梁と、ボルトによって前記下梁に固定接続される下接続ブロックと、末端ブロックと、複数個の基準ブロックと、左立柱と、右立柱と、ボルトによって前記左立柱に固定接続される左接続ブロックと、ボルトによって前記右立柱に固定接続される右接続ブロックとを含み、前記左接続ブロックは、一体に形成され且つ上下に互い違いに配列される後接続板と前接続板を有し、前記前接続板と前記後接続板はそれぞれ左端面が面一となっており、前記前接続板の幅は前記後接続板の幅より大きく、前記後接続板は前記前接続板に対し上方に突出し、前記後接続板は上方に突出する上突出板を形成し、前記前接続板は前記後接続板に対し下方に突出し、前記前接続板は下方に突出する下突出板を形成しており、前記末端ブロックと前記基準ブロックは共に一体に形成され且つ上下に互い違いに配列される後板と前板を有し、前記後板は前記前板に対し上方に突出し、前記後板は上方に突出する上突出板を形成し、前記前板は後板に対し下方に突出し、前記前板は下方に突出する下突出板を形成しており、前記末端ブロックの後板の左端に左突出板が設けられ、前記左接続ブロックの前記後接続板はボルトによって前記左立柱に固定され、前記左接続ブロックの前記前接続板がボルトによって前記末端ブロックの前記後板の前記左突出板と相互に固定されており、前記右接続ブロックは一体に形成され且つ上下に互い違いに配列される後接続板と前接続板を有し、前記前接続板の左右端面と前記後接続板の左右端面は各端においてそれぞれ面一となっており、前記後接続板は前記前接続板に対し上方に突出し、前記後接続板は上方に突出する上突出板を形成し、前記前接続板は前記後接続板に対し下方に突出し、前記前接続板は下方に突出する下突出板を形成しており、前記右接続ブロックはボルトによって前記右立柱に固定されており、前記上接続ブロックと前記下接続ブロックは共にL字状であり、前記上接続ブロックの鉛直板がボルトによって前記上突出板と相互に固定され、前記下接続ブロックの鉛直板がボルトによって前記下突出板と相互に固定され、前記上接続ブロックの水平板がボルトによって前記上梁と相互に固定され、前記下接続ブロックの水平板がボルトによって前記下梁と相互に固定されており、前記末端ブロック及び前記基準ブロックはそれぞれ右端面に共に突出ブロックが設けられ、前記基準ブロックの左端面に左凹溝が設けられ、前記基準ブロックの右突出ブロックは隣り合う前記基準ブロックの左凹溝内に嵌め込み、前記右接続ブロックの左端に左凹溝が設けられ、最右の前記基準ブロックの右突出ブロックは前記右接続ブロックの左凹溝内に嵌め込んでおり、前記末端ブロックの右突出ブロックは最左の前記基準ブロックの左凹溝内に嵌め込んでおり、前記右接続ブロック内にアンカー穴とボルト穴が設けられ、前記右接続ブロックの左凹溝、アンカー穴とボルト穴は相互に連通し、且つ左から右へ順次に分布しており、前記基準ブロック内に、連通し且つ左から右へ順次に分布しているアンカー穴、左かしめ穴、穴路、右かしめ穴と予設穴が順次に設けられており、前記右接続ブロックのボルト穴��前記ボルトが挿入することによって前記右接続ブロックが前記右立柱と相互に固定され、前記右接続ブロックのアンカー穴内にアンカーブロックが設けられ、前記アンカーブロックは予埋ボルトによって前記右接続ブロック内に固定され、前記アンカーブロック内にリベットが設けられ、前記基準ブロックの左かしめ穴と右かしめ穴の内に共にリベットが設けられ、前記基準ブロックの穴路内にプレストレス鋼筋が設けられ、前記プレストレス鋼筋は、前記右接続ブロック内におけるアンカーブロック上のリベット、前記基準ブロック内における予設穴、前記基準ブロックの右かしめ穴内におけるリベット、前記基準ブロック内における穴路と前記基準ブロックの左かしめ穴内におけるリベットに順次に貫通しており、前記基準ブロックのアンカー穴内にアンカーブロックが設けられ、前記アンカーブロックは予埋ボルトによって前記基準ブロック内に固定され、前記プレストレス鋼筋は、前記基準ブロック内におけるアンカーブロックのリベット、左方に隣り合う前記基準ブロック内における予設穴、左方に隣り合う前記基準ブロックの右かしめ穴内におけるリベット、左方に隣り合う前記基準ブロック内における穴路、左方に隣り合う前記基準ブロックの左かしめ穴内におけるリベットに順次に挿入しており、前記上接続ブロックの鉛直板にボルトを挿入させる予設穴とボルト穴が順次に設けられ、前記基準ブロックと前記末端ブロックはそれぞれ突出板に共にボルトを挿入させるボルト穴と予設穴が順次に設けられており、前記基準ブロックと前記末端ブロックはそれぞれ下突出板に共にボルトを挿入させる予設穴とボルト穴が順次に設けられ、前記下接続ブロックの鉛直板にボルトを挿入させるボルト穴と予設穴が順次に設けられており、前記上接続ブロックの水平板にボルトを挿入させる予設穴とボルト穴が順次に設けられ、前記下接続ブロックの水平板にボルトを挿入させる予設穴とボルト穴が順次に設けられており、前記アンカーブロックは腰状ブロックとリベットを設置するリベットブロックを含み、前記腰状ブロックに中心穴とボルトを挿入させるボルト穴が設けられており、前記基準ブロックの右突出ブロックと前記末端ブロックの右突出ブロックに共にゴムパッドが設けられていることを特徴とするリサイクルの壁体構成。
【請求項２】
請求項1に記載の壁体構成を取り付ける方法であって、ボルトを前記右接続ブロックのボルト穴に挿入させることによって、前記右接続ブロックを前記右立柱に固定し、そして前記予埋ボルトによって前記アンカーブロックを前記右接続ブロックのアンカー穴内に固定し、そして前記プレストレス鋼筋を前記右接続ブロック内におけるアンカーブロックのリベット、前記基準ブロック内における予設穴、前記基準ブロックの右かしめ穴内におけるリベット、前記基準ブロック内の穴路、前記基準ブロックの左かしめ穴内におけるリベットに順次に貫通させることによって、前記基準ブロックを前記右接続ブロックの左凹溝内に的確に嵌め込み、そして前記プレストレス鋼筋を前記基準ブロック内におけるアンカーブロックのリベット、左方に隣り合う前記基準ブロック内における予設穴、左方に隣り合う前記基準ブロックの右かしめ穴内におけるリベット、左方に隣り合う前記基準ブロック内における穴路、左方に隣り合う前記基準ブロックの左かしめ穴内におけるリベットに順次に貫通させることによって、隣り合う前記基準ブロックを一体に固定し、前記末端ブロックの右突出ブロックを最左の前記基準ブロックの左凹溝内に嵌め込み、そしてボルトによって前記左接続ブロックの後接続板を前記左立柱に固定し、前記左接続ブロックの前接続板を前記末端ブロックの後板の左突出板に固定し、そしてボルトによって前記上接続ブロックの鉛直板を前記上突出板に固定し、前記下接続ブロックの鉛直板を前記下突出板に固定し、前記上接続ブロックの水平板を前記上梁に固定し、前記下接続ブロックの水平板を前記下梁に固定することを特徴とする請求項1に記載の壁体構成を取り付ける方法。
【請求項３】
請求項1に記載のリサイクルの壁体構成において、上梁と、ボルトによって前記上梁に固定接続される上接続ブロックと、下梁と、ボルトによって前記下梁に固定接続される下接続ブロックと、末端ブロックと、複数個の基準ブロックと、左立柱と、右立柱と、ボルトによって前記左立柱に固定接続される左接続ブロックとを含み、前記左接続ブロックは、一体に形成され且つ上下に互い違いに配列される後接続板と前接続板を有し、前記前接続板と前記後接続板はそれぞれ左端面が面一となっており、前記前接続板の幅は前記後接続板の幅より大きく、前記後接続板は前記前接続板に対し上方に突出し、前記後接続板は上方に突出する上突出板を形成し、前記前接続板は後接続板に対し下方に突出し、前記前接続板は下方に突出する下突出板を形成しており、前記末端ブロックと前記基準ブロックは共に一体に形成され且つ上下に互い違いに配列される後板と前板を有し、前記後板は前記前板に対し上方に突出し、前記後板は上方に突出する上突出板を形成し、前記前板は前記後板に対し下方に突出し、前記前板は下方に突出する下突出板を形成しており、前記基準ブロックの後板の両端面と前記基準ブロックの前板の両端面とが各端においてそれぞれ面一となっており、前記末端ブロックの後板の左端に左突出板が設けられ、前記左接続ブロックの前記後接続板はボルトによって前記左立柱に固定され、前記左接続ブロックの前記前接続板がボルトによって前記末端ブロックの前記後板の左突出板と相互に固定されており、前記上接続ブロックと前記下接続ブロックは共にL字状であり、前記上接続ブロックの鉛直板がボルトによって前記上突出板と相互に固定され、前記下接続ブロックの鉛直板がボルトによって前記下突出板と相互に固定され、前記上接続ブロックの水平板がボルトによって前記上梁と相互に固定され、前記下接続ブロックの水平板がボルトによって前記下梁と相互に固定されており、前記末端ブロック及び前記基準ブロックはそれぞれ端面に共に予設穴とボルト穴が順次に設けられ、最右の前記基準ブロックはボルトによって前記右立柱に固定され、前記末端ブロックはボルトによって最左の前記基準ブロックと相互に固定されていることを特徴とする請求項1に記載のリサイクルの壁体構成。